(57)【要約】【課題】木材資源が無用に消費されることを抑制でき、しかも、土台材と柱材との連結部分に加工ミスが生じたとしても、この加工ミスに容易に対処することができる木製構造物における土台材と柱材との連結構造を提供する。【解決手段】嵌合穴１１を有し、木製構造物の土台を形成する木製の土台材１０と、嵌合穴２２を有し、前記土台材１０に立設された木製の柱材２０と、一端側に、前記土台材１０の嵌合穴１１に挿嵌された土台側挿嵌部６１を有し、他端側に、前記柱材２０の嵌合穴２２に挿嵌された柱側挿嵌部６２を有し、土台材１０と柱材２０とを連結する連結部材６０とを備える。【選択図】図１
2005068839.tif 000002
【特許請求の範囲】
【請求項１】
嵌合穴を有し、木製構造物の土台を形成する木製の土台材と、
嵌合穴を有し、前記土台材に立設された木製の柱材と、
一端側に、前記土台材の嵌合穴に挿嵌された土台側挿嵌部を有し、他端側に、前記柱材の嵌合穴に挿嵌された柱側挿嵌部を有し、土台材と柱材とを連結する連結部材と
を備えることを特徴とする木製構造物における土台材と柱材との連結構造。
【請求項２】
前記柱材は、端部に前記嵌合穴が形成されるように、複数の木製部材を一体化して構成されていることを特徴とする請求項１に記載の木製構造物における土台材と柱材との連結構造。
【請求項３】
前記連結部材は、前記土台側挿嵌部または前記柱側挿嵌部の少なくとも一方が円柱状に形成されていることを特徴とする請求項１または請求項２に記載の木製構造物における土台材と柱材との連結構造。
【請求項４】
前記土台材または前記柱材の一方に設けられた被係止部と、
前記土台材または前記柱材の他方に設けられ、前記被係止部を係止して土台材に対する柱材の軸周りの回転を規制する係止部と
を備えることを特徴とする請求項１から請求項３までのいずれか一つに記載の木製構造物における土台材と柱材との連結構造。
【発明の詳細な説明】
【技術分野】
【０００１】
本発明は、木製構造物の連結構造に関するものであり、詳しくは、土台を形成する木製の土台材と、この土台材に立設された木製の柱材とを有する木製構造物における前記土台材と前記柱材との連結構造に関するものである。
【背景技術】
【０００２】
ログハウスや木造住宅等の木製建築物、カウンターや間仕切り等の木製屋内設備、遊具や柵等の木製屋外設備、或は木製家具等、各種の木製構造物の中には、構成材として、土台を形成する木製の土台材と、この土台材に立設された木製の柱材とを有するものがある。そして、このような木製構造物では、従来、土台材と柱材とを連結するために、例えば図５に示すような連結構造が採用されていた。この連結構造は、具体的に、柱材１２０の端部に形成されたホゾ１２１を、土台材１１０の適宜部位に穿設されたホゾ穴１１１に挿嵌して、土台材１１０の上面に柱材１２０を連結したものである。
【０００３】
上記従来技術は、一般的な事項であり、本出願人は、本願出願時において、この従来技術を特定する文献を特に知見していない。
【発明の開示】
【発明が解決しようとする課題】
【０００４】
上述した従来の連結構造では、柱材の材料として、実際の柱の寸法となる柱長よりもホゾの分だけ長い木材を必要とするため、木材の無用な消費を余儀なくされていた。また、製材された木材から所望の長さの材料を切り出す、所謂「材料取り」に際しては、切り出す材料の長さとして、ホゾを見込んだ長さを計算しなければならない。このため、人為的な計算ミスによって、所望の柱長が得られない材料取りを行ってしまい、この材料を使用できずに破棄することで、木材を無用に消費することがあった。さらに、柱材のホゾや土台材のホゾ穴の加工ミスによって、柱材や土台材が使用できなくなり、この柱材や土台材を破棄することで、木材を無用に消費することもあった。このように、従来の連結構造は、木材資源を無用に消費するものであった。
【０００５】
ところで、柱材のホゾや土台材のホゾ穴に加工ミスが生じた場合、柱材や土台材を破棄するまでもなく、ホゾやホゾ穴を修正すれば加工ミスに対応できる場合がある。しかしながら、ホゾやホゾ穴を修正しようとすると、柱材自体や土台材自体に修正加工を施さなければならず、この修正加工は煩雑となる。特に、柱材や土台材が大きく重いものである場合には、柱材や土台材の取り扱いが容易ではないため、上述した修正加工はより煩雑となる。また、一度で修正が完了しない場合には、柱材と土台材との取り付け及び取り外しを繰り返さなければならず、修正加工は、より一層、煩雑となる。よって、従来の連結構造は、土台材と柱材との連結部分に加工ミスが生じた場合に、この加工ミスに容易に対処できないものであった。
【０００６】
本発明は、上記実状を鑑みてなされたものであり、木材資源が無用に消費されることを抑制でき、しかも、土台材と柱材との連結部分に加工ミスが生じたとしても、この加工ミスに容易に対処することができる木製構造物における土台材と柱材との連結構造の提供を課題とする。
【課題を解決するための手段】
【０００７】
上記課題を解決するための主要な手段は、
「嵌合穴を有し、木製構造物の土台を形成する木製の土台材と、
嵌合穴を有し、前記土台材に立設された木製の柱材と、
一端側に、前記土台材の嵌合穴に挿嵌された土台側挿嵌部を有し、他端側に、前記柱材の嵌合穴に挿嵌された柱側挿嵌部を有し、土台材と柱材とを連結する連結部材と
を備えることを特徴とする木製構造物における土台材と柱材との連結構造」
である。
【０００８】
このように構成された連結構造では、柱材にホゾを設ける必要がないため、柱材の材料を、従来の連結構造よりもホゾの分だけ短くすることができる。よって、木材資源の無用な消費を抑制することができる。
【０００９】
また、柱材にホゾを必要としないので、柱材の材料取りに際しては、材料の長さを、実際の柱の寸法となる柱長から単純に算出することができ、人為的な計算ミスを生じ難くすることができる。よって、計算ミスにより材料取りを間違えることで木材が破棄される可能性を低くすることができ、この点からも、木材資源の無用な消費を抑制することができる。
【００１０】
ところで、従来の連結構造では、ホゾやホゾ穴に、それ自体の修正では対処できない程の重大な加工ミスが生じていた場合、柱材や土台材の破棄を余儀なくされる。これに対して、上述した構成の連結構造では、土台材の嵌合穴や柱材の嵌合穴に、この嵌合穴自体の修正では対処できない加工ミスが生じていたとしても、土台材と柱材との間に連結部材が介在されることになるので、この連結部材を修正したり、連結部材の形態を変更することで、加工ミスに対処できることがある。例えば、土台材の嵌合穴や柱材の嵌合穴が小さ過ぎる加工ミスが生じた場合には、この小さな嵌合穴にも良好に嵌合させることができるように、土台側挿嵌部や柱側挿嵌部を小さく修正することにより、上記加工ミスに対処できることがある。逆に、土台材の嵌合穴や柱材の嵌合穴が大き過ぎる加工ミスが生じた場合には、この大きな嵌合穴にも良好に嵌合させることができるように、土台側挿嵌部や柱側挿嵌部の大きい連結部材を特別に用いることで、上記加工ミスに対処できることがある。また、土台材の嵌合穴や柱材の嵌合穴に位置ズレのある加工ミスが生じた場合には、この位置ズレを吸収させることができるように、土台側挿嵌部や柱側挿嵌部の各軸芯が、位置ズレの分だけ相互に偏心した連結部材を特別に用いることで、上記加工ミスに対処できることがある。このように、この連結構造では、対処可能な加工ミスの許容範囲が広がり、加工ミスに柔軟に対応することができる。よって、加工ミスによって破棄される土台材や柱材を少なくすることができ、この点からも、木材資源の無用な消費を抑制することができる。
【００１１】
しかも、土台材の嵌合穴や柱材の嵌合穴に加工ミスが生じていても、連結部材によってこの加工ミスに対応することができることから、柱材自体や土台材自体に直接手を加えて修正をする必要がない。よって、加工ミスに容易に対処できる。また、連結部材は、柱材や土台材の嵌合穴に挿嵌されるものであることから、当然、柱材や土台材よりも小さく、扱い易い大きさである。よって、特に、連結部材に修正加工を施すことで加工ミスに対処する場合には、柱材自体や土台材自体の修正加工を施すことに比べて、修正加工を容易に施すことができる。
【００１２】
なお、本発明に係る連結構造は、連結部材による連結手法以外の他の連結手法の併用を排除するものではなく、例えば、土台材と柱材との連結部分において互いの接合面を接着剤によって接着する手法を併用したり、土台材と柱材との連結部分を互いに凹凸嵌合させて連結する手法を併用したり、或は、土台材の上面や側面と柱材の側面とに渡って取り付けられる略Ｌ字状や略Ｔ字状の金具等、他の連結部材を併用したりすることも可能である。
【００１３】
上述した手段において、
「前記柱材は、端部に前記嵌合穴が形成されるように、複数の木製部材を一体化して構成されていることを特徴とする木製構造物における土台材と柱材との連結構造」
としてもよい。
【００１４】
柱材の端面は小口面であり、このような小口面に嵌合穴を形成しようとすると、煩雑な加工作業を必要とし、しかも、加工ミスが生じ易い。これに対して、上記構成では、複数の木製部材を一体化することで、端部に嵌合穴が形成された柱材が構成されるため、嵌合穴を別途に形成する必要がない。よって、小口面の煩雑な加工作業を省略することができ、また、柱材の嵌合穴を、精度良く設けることもできる。
【００１５】
なお、端部に嵌合穴が形成されるように複数の木製部材を一体化して柱材とする具体的な態様としては、特に限定するものではないが、例えば、複数の木製部材の裏面によって、柱材の全長に渡って貫通する中空部が形成されるように、複数の木製部材を柱材の軸周りに並設して一体化し、上記中空部の端部にて嵌合穴を構成するようしてもよく、凹部が端部に予め形成された複数の木製部材を重ね合わせて一体化し、各凹部の相互によって嵌合穴を構成するようにしてもよく、或は、端部に嵌合穴が予め形成された木製部材と他の木製部材とを、柱材の長さ方向に連設して一体化してもよい。また、複数の木製部材を一体化する手法としては、接着剤による接着、ボルトによる締結、釘止めや木製部材同士の凹凸嵌合等、種々の手法を例示することができる。
【００１６】
ここで、複数の木製部材の裏面によって柱材の全長に渡って貫通する中空部が形成され、この中空部の端部によって嵌合穴が構成されるように、複数の木製部材を一体化して柱材とするのが好適である。このようにすることで、個々の木製部材に対して特別な加工を施さなくても、柱材の端部に嵌合穴を設けることができる。また、中空部を備える柱材では、同寸の中空部を備えない柱材と比べて重量を軽減することができる。しかも、中空部の分だけ、断面の寸法が大きくなることから、小寸の木製部材から、より大寸の柱材を形成することができる。さらに、ログハウスの構成材、木造住宅の軸組み、建築物の内装材等の建材として用いられる柱材であれば、中空部によって、建材として有効な断熱効果、遮音効果を向上させることができる。また、内部の中空部の分だけ、空気に触れる面積が広がることから、建材として有効な吸湿性や加湿性を向上させることができる。しかも、内部の中空部分を、電線や電話線等の配線領域、水道管やガス管等の配管領域として使用することも可能となる。
【００１７】
上述した手段において、
「前記連結部材は、前記土台側挿嵌部または前記柱側挿嵌部の少なくとも一方が円柱状に形成されていることを特徴とする木製構造物における土台材と柱材との連結構造」
としてもよい。
【００１８】
例えば、連結部材における土台側挿嵌部及び柱側挿嵌部の双方が四角柱状等の角柱状であると、この連結部材を介在して土台材の上面に立設された柱材では、その軸周りの回転について自由度がなくなる。このような態様では、土台材の嵌合穴や柱材の嵌合穴において、柱材の軸周りに対する角度が正確に割り出されていないと、土台材に立設された柱材の向きを正確に合わせることができなくなってしまう。これに対して、上記構成では、連結部材における土台側挿嵌部または柱側挿嵌部の少なくとも一方が円柱状に形成されているため、この連結部材を介在して土台材に立設された柱材は、その軸周りの回転が連結部材によっては拘束されず、向きを自由に変更することができる。よって、土台材の嵌合穴や柱材の嵌合穴において、柱材の軸周りに対する角度が正確に割り出されていなくても、柱材の向きを正確に合わせることができる。また、円柱状に形成された土台側挿嵌部または柱側挿嵌部が嵌合する土台材の嵌合穴または柱材の嵌合穴は、当然、円形状のものとなる。そして、このような円形状の嵌合穴は、ドリル加工等の単純な加工によって穿設することができることから、土台材または柱材に円形状の嵌合穴を、方形状の嵌合穴に比して容易に成形することができる。
【００１９】
上述した手段において、
「前記土台材または前記柱材の一方に設けられた被係止部と、
前記土台材または前記柱材の他方に設けられ、前記被係止部を係止して土台材に対する柱材の軸周りの回転を規制する係止部と
を備えることを特徴とする木製構造物における土台材と柱材との連結構造」
としてもよい。
【００２０】
土台材の嵌合穴と連結部材の土台側連結部との挿嵌や、柱材の嵌合穴と連結部材の柱側連結部との挿嵌にガタツキが生じていると、土台材に対して柱材の向きを正確に位置合わせする作業を別途必要とする。特に、連結部材の一端側が円柱状に形成された態様では、柱材が軸周りに自由に回転するため、土台材に対する柱材の向きの位置合わせ作業は必須となる。これに対して、上記構成では、土台材または柱材の一方の被係止部に他方の係止部を係止させることで、柱材の軸周りの回転が規制されるため、土台材に対する柱材の向きの位置合わせ作業が不要となり、土台材に対して柱材を立設する作業を簡略化することができる。
【００２１】
なお、係止部と被係止部とが相互に係止し合うものであれば良く、その態様は特に限定するものではないが、例えば、土台材の上面に柱材が嵌合する凹部を設け、この凹部の側壁面に柱材の側面を当接させることにより柱材の軸周りの回転を規制することとしてもよく、或は、柱材の端面に土台材が嵌合する凹部を設け、この凹部の側壁面に土台材の側面を当接させることにより柱材の軸周りの回転を規制することとしてもよい。これらの態様では、上記凹部が係止部となり、上記柱材の両側面や上記土台材の両側面が、係止部に係止される被係止部となる。
【発明の効果】
【００２２】
上述の通り、本発明によれば、木材資源が無用に消費されることを抑制でき、しかも、土台材と柱材との連結部分に加工ミスが生じたとしても、この加工ミスに容易に対処することができる木製構造物における土台材と柱材との連結構造を提供することができる。
【発明を実施するための最良の形態】
【００２３】
本発明に係る木製構造物における土台材と柱材との連結構造の実施形態を、以下に、図面に基づいて詳細に説明する。
【００２４】
図１に、本発明に係る木製構造物における土台材１０と柱材２０との連結構造の一例を示す。この連結構造は、各種の木製構造物の土台となる木製の土台材１０と、この土台材１０に立設された木製の柱材２０とを、連結部材６０を用いて連結する構造である。
【００２５】
土台材１０は、原木から製材され、断面が略方形状に形成された無垢の木材から構成されており、この土台材１０の適宜の部位には、ドリル加工により上下方向に貫通状に形成された略円形状の嵌合穴１１が穿設されている。一方、柱材２０は、原木から製材された木材を所望の断面形状に成形加工してなる複数の木製部材を、各木製部材の裏面によって長さ方向に貫通する略正方形状の中空部２１が構成されるように、組み付けて一体化されたものであり、この柱材２０の下端部には、上記中空部２１の一部により構成された略正方形状の嵌合穴２２が設けられている。そして、土台材１０の嵌合穴１１と柱材２０の嵌合穴２２とには、連結部材６０が挿嵌され、この連結部材６０によって土台材１０と柱材２０とが連結されている。
【００２６】
連結部材６０は、木材から棒状に一体的に形成されたものであり、一端側に、土台材１０の嵌合穴１１に挿嵌される円柱状の土台側挿嵌部６１を備え、他端側に、柱材２０の挿嵌穴２２に挿嵌される角柱状、より具体的には断面が略正方形の角柱状の柱側挿嵌部６２を備えてなる。そして、この連結部材６０は、土台側挿嵌部６１を土台材１０の嵌合穴１１に挿嵌し、柱側挿嵌部６２を柱材２０の嵌合穴２２に挿嵌して、土台材１０の上面における嵌合穴１１が設けられた部位に柱材２０が立設されるようにして、土台材１０と柱材２０とを連結するものであり、この連結部材６０では、土台側挿嵌部６１と柱側挿嵌部６２とが同軸状に形成されている。ここで、本例では、連結部材６０の両端部分が、夫々、土台材１０及び柱材２０に内嵌され、土台材１０と柱材２０とを連結した状態では、全体が隠蔽されるのであるが、連結部材６０の形態はこれに限らず、その中央部分を土台材１０及び柱材２０のいずれにも内嵌されない大寸のものとし、この大寸部分が露呈する形態のものであってもよい。
【００２７】
なお、連結部材６０については、金属や樹脂等、木材とは異なる材質により形成されたものであってもよく、また、木材やその他の材質により形成された複数の部材を一体化したものであってもよい。ここで、土台材１０の嵌合穴１１や柱材２０の嵌合穴２２について、設計通りの寸法や形状が確保されていないといった不具合が生じた場合には、連結部材６０の土台側挿嵌部６１や柱側挿嵌部６２に適宜の修正加工を施すことで、上記不具合を解消できることから、連結部材６０を構成する材質としては、木材や樹脂等、切削や変形等の修正がし易い材質を採用するのが好適である。また、土台材１０の嵌合穴１１の位置について、柱材２０を立設すべき設計上の位置よりもズレが生じている場合には、土台側挿嵌部６１と柱側挿嵌部６２との相互で軸芯が偏心された連結部材６０を用いることで、土台材１０の嵌合穴１１の位置ズレを吸収させることができ、これにより、土台材１０の適切な部位に柱材２０を立設することができる。
【００２８】
この連結部材６０を用いて土台材１０と柱材２０とを連結した状態では、連結部材６０の柱側挿嵌部６２と柱材２０の嵌合穴２２とが略正方形状の相互の嵌合であることから、柱材２０は連結部材６０に対して、その軸周りに自由に回転しないのであるが、連結部材６０の土台側挿嵌部６１と土台材１０の嵌合穴１１とが略円形状の相互の嵌合であることから、連結部材６０は、土台材１０に対して、その軸周りに自由に回転する。よって、連結部材６０を介して土台材１０に連結された柱材２０は、その軸周りに自由に回転することになり、土台材１０に対する柱材２０の向きを正確に調整することができる。ここで、本例では、土台側挿嵌部６１を円柱状とし、柱側挿嵌部６２を角柱状としたが、柱側挿嵌部６２を円柱状とし、土台側挿嵌部６１を角柱状としてもよく、或は、土台側挿嵌部６１及び柱側挿嵌部６２の双方を円柱状としてもよい。
【００２９】
また、本例の連結部材６０では、一端側の円柱状の直径が、他端側の角柱状の対角よりも小さな寸法となっており、より具体的には、略正方形状の１辺の長さと略同一寸法となっており、円柱状から角柱状に変化する接続部分は、テーパ状、より具体的には円弧状に、滑らかに変化している。すなわち、この連結部材６０は、幅寸法において、円柱状側が小寸で、角柱状側が大寸であり、両端の形状がテーパ状に接続された棒状のものとなっている。よって、例えば、土台材１０に柱材２０を立設するに先駆けて、土台材１０に連結部材６０を装着しておく場合に、土台材１０の嵌合穴１１に土台側挿嵌部６１を適度に圧入しておけば、土台材１０の上面に連結部材６０を仮設的に位置決め固定しておくことができ、この連結部材６０の柱側挿嵌部６２に柱材２０の嵌合穴２２を外嵌させる際の作業を、良好に行うことができる。
【００３０】
ところで、土台材１０の上面には、嵌合穴１１が穿設された部位を底面とした凹部１２が形成されており、この凹部１２の幅寸法は、柱材２０の幅寸法と略同一寸法となっている。よって、土台材１０の上面に立設された柱材２０は、その下端部分が土台材１０の凹部１２に嵌合し、凹部１２の側壁が柱材２０の下端部分の側面に当接して、柱材２０を正確な向きに固定する。ここで、土台材１０の上記凹部１２は、柱材２０の両側面を係止して柱材２０の軸周りの回転を規制するものであり、本例では、土台材１０の上記凹部１２が係止部１２を構成し、柱材２０の下端部分の両側面が、係止部１２に係止されて柱材２０の軸周りの回転を規制する被係止部２３を構成する。
【００３１】
なお、係止部及び被係止部の態様については、例えば図２に示すような態様であってもよい。この例では、柱材２０の下端面に、土台材１０の全幅を嵌合する凹部２４が設けられている。よって、この例では、柱材２０の凹部２４によって係止部２４が構成され、土台材１０の両側面の上部によって被係止部１３が構成され、これらの係止部２４及び被係止部１３の係止によって、柱材２０は、土台材１０に対して軸周りの回転が規制される。また、係止部及び被係止部の態様については、上記各例に限らず、互いに係止し合って、土台材１０に対して柱材２０の軸周りの回転を規制できるものであればよく、土台材１０及び柱材２０の夫々に、相互に嵌合する凹凸を設けたものや、土台材１０または柱材２０の一方に、他方に対して係止し合う位置決めプレート等の別途の部材を取り付けたものであってもよい。
【００３２】
本例において、柱材２０は、複数の木製部材を一体化してなるものであることは上述した通りであり、次に、この柱材２０の構成について、図３に基いて詳述する。柱材２０は、４つの木製部材、具体的には、一対の第１木材部材３０及び一対の第２木製部材４０を相互に組み付けて、全体として角柱状に形成されている。
【００３３】
一対の第１木製部材３０は、夫々、断面形状が略方形状に形成されており、互いに離間して対向配置されている。また、一対の第２木製部材４０は、夫々、断面形状が略方形状に形成されており、第１木製部材３０の離間方向に交差する方向、具体的には略直交する方向に互いに離間して対向配置されている。これにより、この柱材２０では、各第１木製部材３０の裏面と各第２木製部材４０の裏面とにより、柱材２０の全長に渡って貫通する略方形の中空部２１が構成される。また、この中空部２１は、連結部材６０の柱側挿嵌部２２と略同一形状の略正方形状となるように構成されており、この中空部２１の下端部分により、連結部材６０の柱側挿嵌部６２を内嵌する嵌合穴２２が形成されている。
【００３４】
なお、第２木製部材４０は、第１木製部材３０の側端面（図示では、上下の端面）と面一となるように、一対の第１木製部材３０の間に埋設状に組み付けられている。よって、第１木製部材３０の表面側には、第２木製部材４０との接合線が露呈せず、建築物の表側に露呈する面に第１木製部材３０が配設されるように使用することで、この柱材２０を、建材としての外装材や内装材として好適に用いることができる。
【００３５】
次に、第１木製部材３０と第２木製部材４０との相互の組み付けについて説明する。
【００３６】
第１木製部材３０の裏面の中央部分は略凸状となっており、この略凸状部分の側面には、第１木製部材３０の幅方向に凹陥する凹部３１ｂ、及び、第１木製部材３０の幅方向に突出する凸部３１ａが、夫々、第１木製部材３０の長手方向全長に渡って延設されている。そして、これら凹部３１ｂ及び凸部３１ａにより被係止部３１が構成されている。一方、第２木製部材４０の裏面の両側部分には、第２木製部材４０の厚さ方向に凹陥し、第１木製部材３０の凸部３１ａと嵌合する凹部４１ｂ、及び、第２木製部材４０の厚さ方向に突出し、第１木製部材３０の凹部３１ｂと嵌合する凸部４１ａが、夫々、第２木製部材４０の長手方向全長に渡って延設されている。そして、これら凹部４１ｂ及び凸部４１ａにより、第１木製部材３０の被係止部３１を係止する係止部４１が構成されている。このように、第１木製部材３０と第２木製部材４０とには、夫々互いに係止し合う被係止部３１及び係止部４１が設けられており、対向配置された一対の第１木製部材３０の夫々は、その被係止部３１が、両側から取り付けられた一対の第２木製部材４０の係止部４１に係止されて、相互の移動が規制され、対向して離間した状態で固定される。
【００３７】
なお、本例のように、第１木製部材３０の被係合部３１を、凹部３１ｂ及び凸部３１ａの双方を有するものとして構成し、第２木製部材４０の係合部４１を、凸部４１ａ及び凹部４１ｂの双方を有するものとして構成するに限らず、被係合部３１または係合部４１の一方を、凹部３１ｂ，４１ｂを少なくとも有するものとして構成し、他方を、この凹部３１ｂ，４１ｂに嵌合する凸部４１ａ，３１ａを少なくとも有するものとして構成してもよく、或は、被係合部３１及び係合部４１を、凹凸嵌合ではなく、引掛けや挟持等の他の手法により係止を実現できる形態のものとしてもよい。また、係止部４１及び被係止部３１は、相互に係止し合うものであればよく、第１木製部材３０側を係止部、第２木製部材４０側を被係止部としてもよい。
【００３８】
一対の第１木製部材３０間に組み付けられた一対の第２木製部材４０は、そのままでは、不用意に外れてしまうため、第１木製部材３０及び第２木製部材４０の全体で、堅固に一体となった柱材２０とはならない。そこで、本例では、第１木製部材３０と第２木製部材４０との間にクサビ部材５１が設けられており、このクサビ部材５１により、第１木製部材３０からの第２木製部材４０の不用意な外れが防止されている。具体的には、以下の通りである。
【００３９】
第１木製部材３０の裏面の両側部分には、凹部３１ｂ及び凸部３１ａの凹陥及び突出方向とは異なる方向、より具体的には略直交する方向、である第１木製部材３０の厚さ方向に凹陥し、長手方向の全長に渡って延設された第１溝部３２が凹設されている。一方、第２木製部材４０の両側面には、第１木製部材３０の第１溝部３２と対向するように、凹部４１ｂ及び凸部４１ａの凹陥及び突出方向とは異なる方向、より具体的には略直交する方向、である第２木製部材４０の幅方向に凹陥し、長手方向の全長に渡って延設された第２溝部４２が凹設されている。そして、上記第１溝部３２と上記第２溝部４２とで、柱材２０の全長に渡って貫通する略方形状の孔部５０が構成されている。
【００４０】
この孔部５０には、孔部５０に充填されて硬化した樹脂により形成された部材や、予め孔部５０に応じた形状に形成され、柱材２０の長手方向から孔部５０に挿入された部材等、適宜の部材からなるクサビ部材５１が設けられている。そして、このクサビ部材５１によって、第１木製部材３０からの第２木製部材４０の不用意な外れが防止され、第１木製部材３０及び第２木製部材４０の全体で、堅固に一体化された柱材２０が形成されている。
【００４１】
ところで、この連結構造では、土台材１０に対して柱材２０を単独で立設する場合、上述したような連結部材６０によってのみでは、柱材２０の堅固な立設状態を維持できない場合がある。この場合には、例えばプレート状の連結金具等、別途の連結用の部材を土台材１０と柱材２０との間に渡って取り付け、このような別途の連結用の部材を併用して、柱材２０の堅固な立設状態を確保できるようにしてもよい。
【００４２】
また、例えば図４に示すように、複数の柱材２０の間に壁材等の他の構成材７０が装着され、各柱材２０が、その側面にて他の構成材７０により拘束される木製構造物では、土台材１０に対する各柱材２０の立設状態が堅固になるため、上述のように、別途に連結用の部材を併用することを省略することができる。この図４に示す例では、柱材２０の側面に、長さ方向全長に渡ってアリ溝やホゾ穴等の連結部２５が設けられている。一方、この柱材２０の側面に配置される壁材等の他の構成材７０の端部にも、アリ溝やホゾ穴等の連結部７１が設けられている。そして、柱材２０の連結部２５と他の構成材７０の連結部７１とに、クサビ状の連結部材８０が装着されて、柱材２０の側面に複数の他の構成材７０が積重され、これにより、別途の連結用の部材を併用することなく、各柱材２０は、良好な立設状態で維持されている。
【図面の簡単な説明】
【００４３】
【図１】本発明に係る連結構造の一例を示す斜視図である。
【図２】本発明に係る連結構造の別例を示す斜視図である。
【図３】柱材の構成を示す断面平面図である。
【図４】木製構造物を示す要部斜視図である。
【図５】従来の連結構造を示す斜視図である。
【符号の説明】
【００４４】
１０    土台材
１１    嵌合穴
１２    係止部（凹部）
１３    被係止部
２０    柱材
２１    中空部
２２    嵌合穴
２３    被係止部
２４    係止部（凹部）
２５    連結部
３０    第１木製部材
３１    被係止部
３１ａ  凸部
３１ｂ  凹部
３２    第１溝部
４０    第２木製部材
４１    係止部
４１ａ  凸部
４１ｂ  凹部
４２    第２溝部
５０    孔部
５１    クサビ部材
６０    連結部材
６１    土台側挿嵌部
６２    柱側挿嵌部
７０    他の構成材（壁材）
７１    連結部
８０    連結部材
【図１】
2005068839.tif 000003
【図２】
2005068839.tif 000004
【図３】
2005068839.tif 000005
【図４】
2005068839.tif 000006
【図５】
2005068839.tif 000007